(57)【要約】【課題】手で回せなくなったノブナット又はノブボルトの回し操作を可能にする。【解決手段】茎稈を刈取る前処理部３の前側に左右方向に並ぶように立設され、茎稈導入経路１１に導入された茎稈を引き起す複数の引起装置１３を備え、該引起装置１３の前面部を着脱自在な引起カバー１５で覆うコンバイン１であって、引起カバー１５は、手で回し操作可能なノブナット１７を用いて固定されており、ノブナット１７に設けられるノブ部２１は、ナットが埋め込まれるノブ本体２１ａと、ノブ本体２１ａから放射方向に突出し、手で回し操作される複数の突出部２１ｂと、周方向に隣接する突出部２１ｂ同士を連結する補強リブ２１ｃとを備え、突出部２１ｂの先端側が、補強リブ２１ｃよりも外周側に突出して工具Ｔの引掛け部２１ｄとして機能する。【選択図】図６
2017112931.tif 000002
【特許請求の範囲】
【請求項１】
茎稈を刈取る前処理部の前側に左右方向に並ぶように立設され、茎稈導入経路に導入された茎稈を引き起す複数の引起装置を備え、該引起装置の前面部を着脱自在なカバー体で覆うコンバインであって、
前記カバー体は、手で回し操作可能なノブナット又はノブボルトを用いて固定されており、
前記ノブナット又は前記ノブボルトに設けられるノブ部は、
ナット又はボルトが埋め込まれるノブ本体と、
前記ノブ本体から放射方向に突出し、手で回し操作される複数の突出部と、
周方向に隣接する前記突出部同士を連結する補強リブと、を備え、
前記突出部の先端側が、前記補強リブよりも外周側に突出して工具の引掛け部として機能することを特徴とするコンバイン。
【発明の詳細な説明】
【技術分野】
【０００１】
本発明は、引起装置のカバー体をノブナット又はノブボルトで固定するコンバインに関する。
【背景技術】
【０００２】
自脱型のコンバインは、茎稈を刈取る前処理部に複数の引起装置を備える。複数の引起装置は、前処理部の前側に左右方向に並ぶように立設されており、茎稈導入経路に導入された茎稈の引き起しを行う。この種の引起装置では、通常、引起装置のメンテナンスを容易にするために、前面部を覆うカバー体が着脱自在に構成されている。例えば、特許文献１には、引起装置のカバー体を手で回し操作可能なノブナット又はノブボルトを用いて固定することで、カバー体の着脱を容易にしたコンバインが示されている。
【先行技術文献】
【特許文献】
【０００３】
【特許文献１】特許第３２４５５０２号公報
【発明の概要】
【発明が解決しようとする課題】
【０００４】
しかしながら、特許文献１のようなコンバインでは、長期間に亘ってノブナット又はノブボルトを使用していない場合、錆などでノブナット又はノブボルトが固着状態となり、手では回せなくなる虞があった。また、ノブナット又はノブボルトが茎稈と接触する位置に設けられている場合は、茎稈の巻き付きが発生する虞があった。
【課題を解決するための手段】
【０００５】
本発明は、上記の如き実情に鑑みこれらの課題を解決することを目的として創作されたものであって、請求項１の発明は、茎稈を刈取る前処理部の前側に左右方向に並ぶように立設され、茎稈導入経路に導入された茎稈を引き起す複数の引起装置を備え、該引起装置の前面部を着脱自在なカバー体で覆うコンバインであって、前記カバー体は、手で回し操作可能なノブナット又はノブボルトを用いて固定されており、前記ノブナット又は前記ノブボルトに設けられるノブ部は、ナット又はボルトが埋め込まれるノブ本体と、前記ノブ本体から放射方向に突出し、手で回し操作される複数の突出部と、周方向に隣接する前記突出部同士を連結する補強リブと、を備え、前記突出部の先端側が、前記補強リブよりも外周側に突出して工具の引掛け部として機能することを特徴とする。
【発明の効果】
【０００６】
請求項１の発明によれば、ノブ部の突出部の先端側が、補強リブよりも外周側に突出して工具の引掛け部として機能するので、錆などでノブナット又はノブボルトが固着状態となり、手では回せなくなったとしても、プライヤー、レンチなどの工具を用いてノブナット又はノブボルトを回すことが可能になる。また、ノブ部は、周方向に隣接する突出部同士を連結する補強リブを備え、該補強リブによって強度が高められるので、工具による回し操作で破損することを防止できる。また、補強リブは、茎稈の巻き付き防止部としても機能するので、茎稈の巻き付きに起因するトラブルも回避できる。
【図面の簡単な説明】
【０００７】
【図１】本発明の実施形態に係るコンバインの正面図である。
【図２】本発明の実施形態に係るコンバインの右側面図である。
【図３】本発明の実施形態に係るコンバインの平面図である。
【図４】本発明の実施形態に係る引起カバーの取付構造を示す図であり、（Ａ）は引起装置の全体側面図、（Ｂ）は引起装置の上部側面図、（Ｃ）は引起装置の下部側面図である。
【図５】本発明の実施形態に係るノブナットを示す図であり、（Ａ）はノブナットの平面図、（Ｂ）はノブナットの側面図、（Ｃ）はノブナットのＡ−Ａ断面図、（Ｄ）はノブナットの斜視図である。
【図６】本発明の実施形態に係るノブナットの作用説明図であり、（Ａ）は工具の引掛け部となる位置を示すノブナットの斜視図、（Ｂ）は工具をノブナットに引っ掛けた状態を示す引起装置の要部正面図である。
【図７】本発明の実施形態に係るノブ部の他例を示す図であり、（Ａ）は突出部を３つとしたノブ部の平面図、（Ｂ）は突出部を５つとしたノブ部の平面図である。
【発明を実施するための形態】
【０００８】
以下、本発明の実施の形態について、図面に基づいて説明する。図１〜図３において、１は自脱型のコンバインであって、該コンバイン１は、走行機体２と、走行機体２の前端部に昇降自在に連結される前処理部３とを備える。走行機体２には、前処理部３で刈り取った茎稈から穀粒を脱穀して選別する脱穀部４と、選別された穀粒を貯溜する穀粒タンク５と、穀粒タンク５内の穀粒を機外に搬出する排出オーガ６と、脱穀済みの排稈を後処理する後処理部７と、オペレータが乗車する操縦部８と、左右一対のクローラ走行装置９からなる走行部１０とが設けられている。
【０００９】
前処理部３は、前端部に左右方向に所定の間隔を存して並ぶように配置され、未刈り茎稈を分草して複数の茎稈導入経路１１に導く複数のデバイダ１２と、前面部に左右方向に並ぶように立設され、茎稈導入経路１１に導入された茎稈を引き起す複数の引起装置１３と、茎稈の株元を刈り取る刈刃装置（図示せず）と、刈り取った茎稈を脱穀部４に向けて搬送する前処理搬送装置（図示せず）とを備える。
【００１０】
図４に示すように、引起装置１３は、引起ケース１４内に構成される引起機構（図示せず）と、引起装置１３の前面部を覆う着脱自在な引起カバー１５（カバー体）とを備える。なお、引起機構は、装置上端側に配置される駆動スプロケット（図示せず）と、装置下端側に配置されるガイドローラ１６と、所定の間隔を存して複数の引起爪（図示せず）が起伏自在に枢着された引起チェーン（図示せず）とを備え、駆動スプロケット及びガイドローラに巻回された引起チェーンの周回動作に応じて引起爪で茎稈を引き起こすように構成されるが、その構成は従来通りである。
【００１１】
本実施形態の引起カバー１５は、上端側が引起ケース１４に係合状に保持され、下端側がノブナット１７を介して引起ケース１４に緊締状に固定される。つまり、引起ケース１４の上端側には、左右方向に沿う係合軸１８が設けられる一方、引起カバー１５の上端側には、係合軸１８に上方から係合する係合片１９が設けれている。また、引起ケース１４の下端側には前方に突出するボルト軸２０が設けられる一方、引起カバー１５の下端側には、ボルト軸２０が貫通する貫通孔１５ａが形成されており、貫通孔１５ａを貫通したボルト軸２０にノブナット１７をねじ込むことにより、引起カバー１５の下端側が引起ケース１４に緊締状に固定される。なお、図４において、１７ａは引起カバー１５とノブナット１７との間に挟装される環状の弛み止め部材である。
【００１２】
図５に示すように、ノブナット１７は、手で回し操作するためのノブ部２１を備える。ノブ部２１は、樹脂製であり、ナット２２が埋め込まれるノブ本体２１ａと、ノブ本体２１ａから放射方向に突出し、手で回し操作される複数の突出部２１ｂと、周方向に隣接する突出部２１ｂ同士を連結する補強リブ２１ｃとを一体に有する。
【００１３】
本実施形態のノブ部２１は、４つの突出部２１ｂを有しており、周方向に隣接する突出部２１ｂ同士が４つの補強リブ２１ｃを介して一体に連結されている。ここで補強リブ２１ｃは、突出部２１ｂの先端よりもノブ部２１の中心側に後退しており、言い換えれば、突出部２１ｂの先端側が補強リブ２１ｃよりも外周側に突出している。
【００１４】
図６に示すように、突出部２１ｂの先端側であって、補強リブ２１ｃよりも外周側に突出する領域には、工具Ｔを引っ掛ける（又は工具Ｔで挟み込む）ことが可能な引掛け部２１ｄが形成される。本実施形態の突出部２１ｂでは、その先端部の周方向両端部が引掛け部２１ｄとなる。
【００１５】
このようなノブ部２１によれば、錆などでノブナット１７が固着状態となり、手では回せなくなったとしても、図６の（Ｂ）に示すように、プライヤー、レンチなどの工具Ｔを突出部２１ｂの引掛け部２１ｄに引っ掛けることにより、ノブナット１７を回すことが可能になる。
【００１６】
叙述の如く構成された本実施形態によれば、茎稈を刈取る前処理部３の前側に左右方向に並ぶように立設され、茎稈導入経路１１に導入された茎稈を引き起す複数の引起装置１３を備え、該引起装置１３の前面部を着脱自在な引起カバー１５で覆うコンバイン１であって、引起カバー１５は、手で回し操作可能なノブナット１７を用いて固定されており、ノブナット１７に設けられるノブ部２１は、ナットが埋め込まれるノブ本体２１ａと、ノブ本体２１ａから放射方向に突出し、手で回し操作される複数の突出部２１ｂと、周方向に隣接する突出部２１ｂ同士を連結する補強リブ２１ｃとを備え、突出部２１ｂの先端側が、補強リブ２１ｃよりも外周側に突出して工具Ｔの引掛け部２１ｄとして機能するので、錆などでノブナット１７が固着状態となり、手では回せなくなったとしても、プライヤー、レンチなどの工具Ｔを用いてノブナット１７を回すことが可能になる。
【００１７】
また、ノブ部２１は、周方向に隣接する突出部２１ｂ同士を連結する補強リブ２１ｃを備え、該補強リブ２１ｃによって強度が高められるので、工具Ｔによる回し操作で破損することを防止できる。
【００１８】
また、補強リブ２１ｃは、茎稈の巻き付き防止部としても機能するので、茎稈の巻き付きに起因するトラブルも回避できる。
【００１９】
以上、本発明の好ましい実施形態について詳述したが、本発明は上述した実施形態に限定されるものではなく、特許請求の範囲に記載された本発明の要旨の範囲内において、種々の変形、変更が可能である。
【００２０】
例えば、前記実施形態のノブ部２１は、４つの突出部２１ｂを有するが、突出部２１ｂの数は、図７の（Ａ）に示すように３つとしたり、図７の（Ｂ）に示すように５つとするなど、適宜変更することができる。
【００２１】
また、前記実施形態のノブ部２１は、ノブナット１７に適用されているが、ノブボルトにも適用してもよい。
【符号の説明】
【００２２】
１  コンバイン
３  前処理部
１１  茎稈導入経路
１３  引起装置
１５  引起カバー
１７  ノブナット
２１  ノブ部
２１ａ  ノブ本体
２１ｂ  突出部
２１ｃ  補強リブ
２１ｄ  引掛け部
２２  ナット
【図１】
2017112931.tif 000003
【図２】
2017112931.tif 000004
【図３】
2017112931.tif 000005
【図４】
2017112931.tif 000006
【図５】
2017112931.tif 000007
【図６】
2017112931.tif 000008
【図７】
2017112931.tif 000009